(57)【要約】      （修正有）【課題】不使用時においてコンパクトな形態に纏めやすい輪行袋を提供する。【解決手段】輪行袋Ａを、シート材により形成された一方側袋構成部１と、一方側袋構成部１と略同一形状をなすシート材により形成された他方側袋構成部２とを備えてなり、一方側袋構成部１と他方側袋構成部２との間に自転車Ｃを収納し得る収納空間ｓｐを有したものとし、一方側袋構成部１及び他方側袋構成部２の各外面に、不使用時において折り畳み箇所を案内するべく視認可能に表示された直線状をなす谷折り案内線を設けたものとしている。【選択図】図１
0003216094.tif 000002
【実用新案登録請求の範囲】
【請求項１】
分解した自転車を収納し得る輪行袋であって、
シート材により形成された一方側袋構成部と、前記一方側袋構成部と略同一形状をなすシート材により形成された他方側袋構成部とを備えてなり、
前記一方側袋構成部における周縁と前記他方側袋構成部における周縁とが部分的に縫着され、前記一方側袋構成部と前記他方側袋構成部との間に前記自転車を収納し得る収納空間を有しており、
前記一方側袋構成部及び前記他方側袋構成部の各外面に、不使用時において折り畳み箇所を案内するべく視認可能に表示された直線状をなす谷折り案内線を設けている輪行袋。
【考案の詳細な説明】
【技術分野】
【０００１】
本考案は、自転車を電車等に乗せるために、分解した状態の自転車を収納し得る輪行袋に関する。
【背景技術】
【０００２】
従来から、自転車を電車やバス等に乗せるためのものとして、分解した状態の自転車を収納し得るようにした輪行袋が種々知られている（例えば特許文献１参照）。
【０００３】
ところが、従来の輪行袋は、自転車を収納しない時（不使用時）には、雑に丸めたり別途用意された梱包袋に雑に詰め込んだりして纏められていた。このため、従来のものでは、コンパクトな形態に収納され難く、しかも、過度に皺が作られてしまい使用時の外観を著しく損ねてしまうものとなっていた。
【先行技術文献】
【特許文献】
【０００４】
【特許文献１】実用新案登録第３００１６１０号公報
【考案の概要】
【考案が解決しようとする課題】
【０００５】
本考案は、このような課題に着目してなされたものであって、少なくとも、不使用時においてコンパクトな形態に纏めやすい輪行袋を提供することにある。
【課題を解決するための手段】
【０００６】
すなわち、本考案は次の構成をなしている。
【０００７】
請求項１に係る考案は、分解した自転車を収納し得る輪行袋であって、略四角形状をなすシート材により形成された一方側袋構成部と、前記一方側袋構成部と略同一形状をなすシート材により形成された他方側袋構成部とを備えてなり、前記一方側袋構成部における周縁と前記他方側袋構成部における周縁とが部分的に縫着され、前記一方側袋構成部と前記他方側袋構成部との間に前記自転車を収納し得る収納空間を有しており、前記一方側袋構成部及び前記他方側袋構成部の各外面に、不使用時において折り畳み箇所を案内するべく視認可能に表示された直線状をなす複数の谷折り案内線を設けている輪行袋である。
【考案の効果】
【０００８】
以上説明したように本考案によれば、少なくとも、不使用時においてコンパクトな形態に纏めやすい輪行袋を提供することができるものとなる。
【図面の簡単な説明】
【０００９】
【図１】本考案の一実施形態を示す左側面図。
【図２】同実施形態を示す左側面図。
【図３】同実施形態を示す右側面図。
【図４】同実施形態における折り畳み手順を示す説明図。
【図５】同実施形態における折り畳み手順を示す説明図。
【図６】同実施形態における折り畳み手順を示す説明図。
【図７】同実施形態における折り畳み手順を示す説明図。
【図８】同実施形態における折り畳み手順を示す説明図。
【図９】同実施形態における折り畳み手順を示す説明図。
【図１０】同実施形態における折り畳み手順を示す説明図。
【考案を実施するための形態】
【００１０】
以下、本考案の一実施形態を、図１〜１０を参照して説明する。なお、図２は、自転車Ｃが収納空間ｓｐに収納されていない状態の輪行袋Ａの左側面図とし、図３は、自転車Ｃが収納空間ｓｐに収納されていない状態の輪行袋Ａの右側面図とする。すなわち、この明細書では、図２における右側が「前」であり、左側が「後」であるとして説明する。
【００１１】
輪行袋Ａは、分解した自転車Ｃを収納し得るものである。輪行袋Ａは、例えば、自転車Ｃを電車やバス等に載せるために用いられる。
【００１２】
輪行袋Ａは、略四角形状をなす合成樹脂製のシート材により形成された一方側袋構成部１と、一方側袋構成部１と略同一形状をなす合成樹脂製のシート材により形成された他方側袋構成部２とを備えている。
【００１３】
一方側袋構成部１における周縁と他方側袋構成部２における周縁とが部分的に縫着されており、一方側袋構成部１と他方側袋構成部２との間には、分解した自転車Ｃを収納し得る収納空間ｓｐを有している。すなわち、一方側袋構成部１の前縁１ａ、後縁１ｂ、及び、下縁１ｃは、他方側袋構成部２の前縁２ａ、後縁２ｂ、及び、下縁１ｃに縫着されている。
【００１４】
なお、一方側袋構成部１の上縁１ｄと他方側袋構成部２の上縁２ｄとは縫着されていない。つまり、一方側袋構成部１の上縁１ｄと他方側袋構成部２の上縁２ｄとによって、自転車Ｃを出し入れするための開口部Ｋが形成されている。開口部Ｋは、図１に示すような紐ｈを利用して閉塞することができるようになっている。また、一方側袋構成部１又は他方側袋構成部２の下部には、自転車Ｃを収納空間ｓｐに収納している際に、当該自転車Ｃを下から支えるための図示しない底マチ部が設けられている。
【００１５】
一方側袋構成部１及び他方側袋構成部２の各外面には、不使用時において折り畳み箇所を案内するべく視認可能に表示された直線状をなす複数の谷折り案内線Ｓ１〜Ｓ６が設けられている。すなわち、この輪行袋Ａは、自転車Ｃを収納していない不使用時に、持ち運びや収納に好適なコンパクトな態様にしやすく構成されている。より具体的に言えば、輪行袋Ａは、周囲と色彩を異ならせた第一〜第六の谷折り案内線Ｓ１〜Ｓ６により、使用者に折り畳みの作業をさせやすくしている。
【００１６】
この実施形態における輪行袋Ａでは、一方側袋構成部１及び他方側袋構成部２に周囲と色分けされた視認可能な直線状をなす第一〜第六の谷折り案内線Ｓ１〜Ｓ６が表示されている。そして、第一〜第六の谷折り案内線Ｓ１〜Ｓ６の順番にしたがって、輪行袋Ａを順次谷折りしていくことにより、当該輪行袋Ａは最終的な折り畳み完了状態の形態を採り得るものなっている。
【００１７】
一方側袋構成部１には、前下角部１１と後上角部１２とを繋ぐ対角線上に延設された第一の谷折り案内線Ｓ１を備えている。
【００１８】
他方側袋構成部２には、後下角部２１と前上角部２２とを繋ぐ対角線上における下半領域に延設された第二の谷折り案内線Ｓ２と、前上角部２２から斜め後方に向かって延設された第三の谷折り案内線Ｓ３と、前半部における上下方向中間部に第二の谷折り案内線Ｓ２と略平行に設けられた第四の谷折り案内線Ｓ４と、後上角部近傍に位置し略水平方向に延設された第五の谷折り案内線Ｓ５と、第四の谷折り案内線Ｓ４の上端部から当該第四の谷折り案内線Ｓ４と直交する後方向に延設された第六の谷折り案内線Ｓ６とを備えている。
【００１９】
以下、図４〜１０を参照して、輪行袋Ａの折り畳み手順について説明する。
【００２０】
まず、図４に示すように、輪行袋Ａを、一方側袋構成部１が上向きに表出するように載置面上に載置させ、第一の谷折り案内線Ｓ１に沿って谷折りする。
【００２１】
次に、図５に示すように、上向きに表出した他方側袋構成部２に示された第二の谷折り案内線Ｓ２に沿って谷折りする。
【００２２】
その後、図６に示すように、上向きに表出した他方側袋構成部２に示された第三の谷折り案内線Ｓ３に沿って谷折りする。
【００２３】
次いで、図７に示すように、上向きに表出した他方側袋構成部２に示された第四、第五の谷折り案内線Ｓ４、Ｓ５に沿って谷折りする。なお、第四、第五の谷折り案内線Ｓ４、Ｓ５は、第三の谷折り案内線Ｓ３を谷折りした後に連続した直線を形成し得るようになっている。
【００２４】
しかる後に、図８に示すように、上向きに表出した他方側袋構成部２に示された第六の谷折り案内線Ｓ６に沿って谷折りする。
【００２５】
以上により、第一〜第六の谷折り案内線Ｓ１〜Ｓ６によって案内された折り畳み作業は完了する（図９）。
【００２６】
その後、図１０に示すように、図９に示された状態のものを端部からロール状に巻くことにより、コンパクトに纏まった最終形態が実現される。当該最終形態の輪行袋Ａは、図示しない収納袋内に収納したり、図示しないバンドにより固定したりして、最終形態が保持されることになる。
【００２７】
このように、本実施形態に係る輪行袋Ａは、使用者に視認可能な複数の谷折り案内線Ｓ１〜Ｓ６を表示させることにより、不使用時においてコンパクトな形態に纏めやすいものとなっている。
【００２８】
なお、本考案は、以上に詳述した実施形態に限られるものではない。
【００２９】
谷折り案内線は、視認可能に表示された直線状をなすものであればよく、上述した実施形態に示されたような帯状（線状）に表示されたものに限られない。例えば、谷折り案内線は、色彩や絵柄等により設定された第一領域と、この第一領域と異なる色彩や絵柄等により設定された第二領域との境界部分を用いたものとしてもよい。
【００３０】
その他、各部の具体的構成についても上記実施形態に限られるものではなく、本考案の趣旨を逸脱しない範囲で種々変形が可能である。
【符号の説明】
【００３１】
Ａ…輪行袋
１…一方側袋構成部
２…他方側袋構成部
ｓｐ…収納空間
Ｃ…自転車
【図１】
0003216094.tif 000003
【図２】
0003216094.tif 000004
【図３】
0003216094.tif 000005
【図４】
0003216094.tif 000006
【図５】
0003216094.tif 000007
【図６】
0003216094.tif 000008
【図７】
0003216094.tif 000009
【図８】
0003216094.tif 000010
【図９】
0003216094.tif 000011
【図１０】
0003216094.tif 000012